(57)【要約】      （修正有）【課題】消費者が、高度な知識、技術及び経験を有する専門家やホスト情報提供者が選択した商品又はサービスの分析や評価の情報、関連する広告及びネットショップ及び情報提供者からの情報を容易且つ迅速にそして一元的に閲覧することができるようにすること。【解決手段】インターネット及びその他の情報伝達手段により、ホスト情報提供者は、商品又はサービスについてそれ自身又は専門家の分析、評価及び比較又はランク付けの情報及び関連する広告やネットショップ又はそのリンク先を併せて示すインターネットのウエッブサイトを作成管理し、消費者に閲覧せしめ、加えて当該商品又はサービスを購入させ又は受けさせ、さらに商品やサービスの専門家、情報提供閲覧者及び会員閲覧者からの情報に対し、広告主及びネットショップ運営者からの収入の一部をこれら情報提供者に還流するための情報と対価の複合的循環回路のシステムとする。【選択図】図１
2008047084.tif 000002
【特許請求の範囲】
【請求項１】
市場で販売若しくは提供されている商品若しくはサービス又は将来販売若しくは提供される予定の商品若しくはサービスについて、ホスト情報提供者は、それ自身若しくは専門家が、これらの商品若しくはサービスのうち一定の数のものを選択し、あらかじめ定めた基準により分析、評価若しくは比較を行い、他の類似の商品若しくはサービスと比較し、又はこれらランク付けをして、その結果の数値や論評を、表、チャート、ランキング若しくは文章にし、数種類の範囲や詳細さを有する商品情報若しくはサービス情報として整理し又はまとめ、これらをデータベースとして蓄積、インターネットのウエッブサイトを作成してこれを掲載し、情報端末機器を持つ人がこれを容易に且つ迅速に閲覧する。
【請求項２】
当該インターネットのウエッブサイトでは、ホスト情報提供者は、〔請求項１〕に述べる商品情報若しくはサービス情報と共に、当該商品若しくはサービス又は関連する商品若しくはサービスに関する広告やネットショップ又はこれらのリンク先を掲載し、興味を持つ閲覧者がこの広告やネットショップも併せて容易に且つ迅速に閲覧又はリンクできる様にして、当該商品若しくはサービスに関する情報を知らしめ又はこれを購入させる。
【請求項３】
ホスト情報提供者は、〔請求項２〕に述べる商品若しくはサービス又は関連する商品若しくはサービスに関する広告やネットショップ若しくはそれらのリンク先を当該ウエッブサイトに掲載する報酬として、その広告主やネットショップ運営者から、事前に同意された条件による広告料やネットショップ掲載料を対価として受け取る。
【請求項４】
インターネットの当該ウエッブサイトに掲載された分析、評価若しくは比較された商品又はサービスについての閲覧者から還流される評価や提供される情報の伝達又は質疑応答の為、当該ウエッブサイト、Ｅ・メール、電話、ファックス又はその他の情報伝達手段により、当該商品又はサービスについて、当該閲覧者とホスト情報提供者の間で、又は当該閲覧者と分析又は評価する専門家との対話を可能ならしめるような直接の情報回路を設定する。
【請求項５】
当該ウエッブサイトの閲覧者は必要に応じて、（Ａ）通常閲覧者としてホスト情報閲覧者に会員料を払うことなく、限定された範囲の当該商品又はサービスのウエッブサイトを単に見るだけの閲覧者、（Ｂ）情報提供閲覧者として、ホスト情報閲覧者の承認を受けて、会員料を払うことなく、限定された範囲の当該商品又はサービスのウエッブサイトを見て、インターネットのサイト、Ｅ・メール、電話、ファックス又はその他の情報伝達手段により、ホスト情報提供者に対し、当該商品又はサービスについての評価の情報を還流する閲覧者及び（Ｃ）当該ウエッブサイトの会員閲覧者として、ホスト情報閲覧者の承認を受けて、会員料を支払い、ウエッブサイトのより広範な若しくはより詳細な商品又はサービスについての内容を閲覧し、希望すれば当該商品又はサービスについて同様の情報伝達手段により、ホスト情報提供者に対し、当該商品又はサービスについての評価の情報を還流する閲覧者の３グループの閲覧者に分かれる。
【請求項６】
ホスト情報提供者は〔請求項５〕に述べる（Ｂ）情報提供閲覧者及び（Ｃ）当該ウエッブサイトの会員閲覧者から還流されたこれらの情報を分析、検討又は整理し、その結果を必要に応じてウエッブサイトに組み入れ掲載する。このような情報提供を行った（Ｂ）及び（Ｃ）の閲覧者に対し情報の対価を支払うことにより、広告主又はネットショップ運営者からの対価を財源とする対価のサイクルを形成する。
【発明の詳細な説明】
【技術分野】
【０００１】    本発明は、インターネット又はその他の情報伝達手段を利用して、専門家が商品又はサービスを分析、評価、比較又はランク付けをし、この情報をホスト情報提供者に供与し、ホスト情報提供者は必要に応じてこれらを更に分析、評価、比較又はランク付けし、まとめて自分が作成し管理するインターネットのウエッブサイトに、特定の広告又はネットショップ若しくはそれのリンク先の情報と併せて掲載し、閲覧者はインターネットにより接続される情報端末機器でこれを閲覧する。【０００２】  さらに本発明ではかかるウエッブサイトの閲覧者は、その商品又はサービスを使用し又は受けて、その結果を評価し〔０００１〕に述べた情報伝達手段を利用してホスト情報提供者に還流する。【０００３】  本発明では、ホスト情報提供者は、ウエッブサイトに掲載した当該商品若しくはサービス又は関連する商品若しくはサービスの広告主やネットショップ運営者から事前に同意された条件による対価を受け取り、その一部を、分析、評価、比較又はランク付けしたこの商品若しくはサービスの専門家、及びこの商品若しくはサービスを評価した情報をホスト情報提供者に還流した情報提供閲覧者及び会員閲覧者に、その情報の対価として還元する。
【背景技術】
【０００４】  閲覧者が容易にインターネットに接続される情報端末機器により閲覧することができるホスト情報提供者が作成するウエッブサイト上で、閲覧者は商品又はサービスに関する広告又はネットショップへのインターネットによる迅速且つ容易なリンクが可能となった。このような例として公開特許公報２００５−１８２８４０号がある。【０００５】  さらに、市場で販売若しくは提供されている商品若しくはサービス又は将来販売若しくは提供される予定の商品若しくはサービスについて、情報出品者から出品された商品やサービスなどに限定してのみ評価してインターネットにより閲覧させる発明があった。この例として公開特許公報２００３−８５４３３号の発明がある。【０００６】  ホスト情報提供者は、商品又はサービス情報、商品又はサービスの分析や評価の情報、広告情報及びネットショップ情報をデータベースに集積し、閲覧者が容易に端末情報機器を使用してインターネットを通じて閲覧することが出来る技術が確立され一般的に普及してきた。【０００７】  ホスト情報提供者、分析や評価の専門家、広告主やネットショップ運営者及び閲覧者が端末情報機器により簡単且つ迅速に相互に連絡を取り合う為のインターネット、電話またはファックス等の装置、技術及びシステムが容易に利用できるようになった。従来は、商品の消費者又はサービスの受領者は、それに関する商品又はサービスの評価の情報を、商品提供者又はサービスの提供者に供与しても、それに対して情報に見合う、継続的に且つ反復して、実施的な対価を受ける為の確立されたシステムの中に組み込まれることがなかった。
【発明の開示】
【発明が解決しようとする課題】
【０００８】  解決しようとする問題点は、商品又はサービスに関してホスト情報提供者又は分析評価の専門家が、夫々の保有する高度な知識、技術及び経験により作成する分析、評価及び比較又はランク付けの情報をデータベース化してインターネットのウエッブサイトとして閲覧者にこれを容易に且つ迅速に閲覧させることである。【０００９】  さらに解決しようとする問題点は、閲覧者が商品若しくはサービスについての分析評価情報をホスト情報提供者のウエッブサイトで閲覧する際に、同時にこれらに直接又は間接に関連する広告若しくはネットショップを閲覧するか又は広告若しくはネットショップにリンクして最終的には実際にこの商品若しくはサービスを購入若しくは享受することである。【００１０】  さらに解決しようとする問題点は、ホスト情報提供者が作成したこの商品又はサービスに関するインターネットのウエッブサイトを閲覧した選ばれた情報提供閲覧者及び会員閲覧者が行う評価を、情報として、ホスト情報者に積極的に還流させて、そのホスト情報提供者のデータベースやウエッブサイトの更なる改善に寄与させることである。
【課題を解決するための手段】
【００１１】  インターネット及びその他の情報伝達手段により、ホスト情報提供者をセンターとして、商品及びサービスの専門家、ホスト情報提供者、情報提供閲覧者及び会員閲覧者からの評価の情報並びに広告及びネットショップ運営者からの収入の一部をこれらの情報提供者に還流するための、情報と対価の複合的循環回路のシステムを設けることにより、ホスト情報提供者、専門家、情報提供閲覧者及び会員閲覧者並びに広告主及びネットショップ運営者に、それぞれメリットを享受させることを主要な特徴とするビジネスモデルである。
【発明の効果】
【００１２】  本発明は、商品やサービスについて専門家及びホスト情報提供者の分析、評価及び比較又はランク付けの情報報並びに関連する広告やネットショップ又はこれらのリンク先を掲載したホスト情報提供者の作成したインターネットのウエッブサイトにより、全ての閲覧者は高度な且つ最新の情報を容易に入手し、更にこれらの閲覧者と専門家はインターネットその他の情報伝達手段により質疑応答を行い、併せては情報提供閲覧者及び会員閲覧者は商品やサービスの評価の情報をホスト情報提供者に還元してその対価を受け取り同時にホスト情報提供者のデータベースの更なる充足を図ることができるという利点がある。
【発明を実施するための最良の形態】
【００１３】  ホスト情報提供者は、市場で販売若しくは提供されている商品若しくはサービス又は将来販売若しくは提供される予定の商品若しくはサービスについて、一定の数のものを選択し、専門家を指名してその分析、評価及び比較又はランク付けを委託する。ホスト情報提供者は、この専門家からのこれらの情報に対価を支払う。併せて、ホスト情報提供者は、これらの情報を掲載するインターネットのウエッブサイトを作成及び管理をし、さらに必要に応じてそれ自身による分析、評価及び比較又はランク付けの情報を加えて整理し、まとめてそのウエッブサイトに掲載する。そのウエブサイトは当該商品若しくはサービス又は関連する商品若しくはサービスについての分析、評価及び比較又はランク付けの数種類の範囲や詳細さの情報を保有する。ホスト情報提供者は、当該商品及びサービスの広告やネットショップ又はそれらのリンク先を有償又は無償でそのウエッブサイトに掲載する事に同意する提携先を選択し同意をとりつけ併せてこれらを掲載する。情報端末機を所有する、選ばれたこのウエブサイトの閲覧者から還元された有益な情報には、ホスト情報提供者は、広告主及びネットショップ運営者から得た収入の一部を対価として支払う。このようにして情報と対価の複合的循環のシステムを構築する。
【実施例１】
【００１４】  図１はホスト情報提供者、分析評価専門家、閲覧者及び広告主やネットショップ運営者の間の情報と対価の流れの複合的循環システムを示すものである。これらの当事者は、インターネットやその他の情報伝達手段によって連結され、相互に、容易且つ迅速に情報伝達が可能である。ホスト情報提供者は、図２に示すごとく商品やサービスなどについて商品・サービス情報、分析評価情報，広告情報及びネットショップ情報をデータベースとして蓄積，分析及び整理して、ウエッブサイト掲載し消費者に閲覧させると同時にホスト情報提供者は、広告主及びネットショップ運営者から対価を受け取り、更に専門家、情報提供閲覧者及び会員閲覧者からの有用な情報に対しては対価を支払う。
【産業上の利用可能性】
【００１５】  この情報と対価の複合的循環回路のシステムによるビジネスモデルでは、ホスト情報提供者は、その正当な評価には高度な知識、技術及び経験を必要とする、現在又は将来市場で入手できる商品又は受ける事の出来るサービスを選択し、分析、評価及び比較又はランク付けの対象とする。ホスト情報提供者は、直接又は間接に関連する商品やサービスの広告主やネットショップ運営者を選択して、ホスト情報提供者の作成するウエッブサイトに広告やネットショップを掲載又はそれらのウエッブサイトにリンクできるようにすることは現実に可能である。ホスト情報提供者は、広告主やネットショップ運営者から得られる対価の一部を、商品やサービスの分析評価専門家、情報提供閲覧者及び会員閲覧者から提供される情報の対価として支払う。
【図面の簡単な説明】
【００１６】
【図１】  ホスト情報提供者、分析評価専門家、広告主、ネットショップ運営者及び閲覧者の関係を示した説明図である。
【図２】  ホスト情報提供者のウエッブサイト作成のための商品やサービスの情報、分析評価情報、広告情報及びネットショップ情報のデータベース並びにホスト情報提供者、広告主及びショップ運営者の関係を示した説明図である。
【図３】  ホスト情報提供者、広告主、及びネットショップ運営者の関係並びにその間の情報と対価の流れを示した説明図である。
【図４】  分析評価専門家並びに（Ａ）通常閲覧者、（Ｂ）情報提供閲覧者及び（Ｃ）会員閲覧者の関係及びその間の情報と対価の流れを示した説明図である。
【符号の説明】
【００１７】１  ホスト情報提供者
２  分析評価専門家
３  閲覧者
３−１  （Ａ）通常閲覧者
３−２  （Ｂ）情報提供閲覧者
３−３  （Ｃ）会員閲覧者
４  広告主
５  ネットショップ運営者
６  インターネット
【図１】
2008047084.tif 000003
【図２】
2008047084.tif 000004
【図３】
2008047084.tif 000005
【図４】
2008047084.tif 000006